(57)【要約】【課題】  簡易的な方法で、かぶりのない良好な画像形成条件の設定を行う。【解決手段】  画像調整モード時には、制御部はかぶり抑制電位差（＝｜Ｖｈ−Ｖｄｃ｜）を画像形成時より小さくとり、白地部の濃度を画像濃度センサＴＳによって測定してかぶり量を検知し、検知値に応じてかぶり抑制電位差を設定し画像形成を行う。（Ｖｈ：帯電電位、Ｖｄｃ：現像におけるＤＣバイアス）【選択図】        図３
2006259101.tif 000002
【特許請求の範囲】
【請求項１】
像形成体と、該像形成体を帯電手段により帯電電位Ｖｈ（Ｖ）に帯電し、露光手段により露光して前記像形成体上に静電潜像を形成する静電潜像形成手段と、前記像形成体上に形成した静電潜像を２成分現像剤を用いＤＣバイアスＶｄｃ（Ｖ）に周波数Ｆａｃ（ｋＨｚ）でピーク値Ｖａｃｐ−ｐ（Ｖ）のＡＣバイアスが重畳された現像バイアス電圧を現像剤担持体に印加して現像を行い前記像形成体上にトナー像を形成する現像手段と、前記像形成体上に形成したトナー像を記録媒体もしくは中間転写体上に転写する転写手段と、前記像形成体上に残留した未転写のトナー像をクリーニングするクリーニング手段と、制御部と、を有する画像形成装置において、
画像調整モード時には、制御部はかぶり抑制電位差（＝｜Ｖｈ−Ｖｄｃ｜）を画像形成時より小さくとり、白地部の濃度を測定してかぶり量を検知し、検知値に応じて現像条件を設定し現像を行うことを特徴とする画像形成装置。
【請求項２】
前記検知値に応じて設定する現像条件は、かぶり抑制電位差（＝｜Ｖｈ−Ｖｄｃ｜）であることを特徴とする請求項１に記載の画像形成装置。
【請求項３】
前記検知値に応じて設定する現像条件は、交流バイアスのピーク値Ｖａｃｐ−ｐであることを特徴とする請求項１に記載の画像形成装置。
【請求項４】
前記検知値に応じて設定する現像条件は、交流バイアスの周波数Ｆａｃであることを特徴とする請求項１に記載の画像形成装置。
【請求項５】
前記２成分現像剤は、体積平均粒径が３〜６．５μｍの重合トナーと磁性キャリアとから成る２成分現像剤であることを特徴とする請求項１乃至４の何れか１項に記載の画像形成装置。
【発明の詳細な説明】
【技術分野】
【０００１】
本発明は電子写真方式により転写紙に画像を形成する画像形成装置に関し、特に２成分現像剤を用いて現像を行う画像形成装置に関する。
【背景技術】
【０００２】
電子写真方式により画像を形成する画像形成工程の一例では、感光体等の像形成体上に静電潜像を形成し、形成した静電潜像を現像手段により現像して像形成体上にトナー像を形成し、形成したトナー像を転写手段により転写紙に転写し、転写したトナー像を定着手段により転写紙に定着して転写紙上に画像を形成する。また、他の例では、感光体等の像形成体上のトナー像を像担持体としての中間転写体に転写し、中間転写体から転写手段により転写紙に転写し定着することにより、転写紙に画像を形成する。
【０００３】
前記画像形成工程における現像工程では、非磁性トナーと磁性キャリアを含む２成分現像剤を用いた現像が多く用いられ、ＤＣバイアスにＡＣバイアスを重畳した現像バイアス電圧を印加することが行われている。
【０００４】
２成分現像剤を用いての現像では、現像によってトナーのみが消費されるので、消費分に相当する適度の新しいトナーの補給を行う必要があり、トナー補給が行われる。
【０００５】
新たに補給されたトナーは、現像装置内の撹拌手段、例えば撹拌搬送スクリュや水車状の回転パドルによって磁性キャリアと撹拌され、相互摩擦によってトナーには摩擦帯電によるトナー電荷が与えられる。従って撹拌が十分行われないで所定値の電荷にまで達しないトナーが静電潜像の顕像化に携わると、像形成体の白地部にトナーが移って付着し、いわゆるかぶり画像が生じてしまう。
【０００６】
特に、リサイクル方式を採用している装置の場合、リサイクルトナーは補給トナーに比べ、劣化の進んだトナーが多く、上記の不具合なかぶり現象を引き起こしやすい。また、小粒径トナーや粒径分布のシャープな重合法により製造されたトナーの場合、その画質（解像度、階調性、文字再現性等）の高さから、上記の不具合な現象が顕著に目立ちやすい。
【０００７】
一方、転写紙としてコート紙を使用する場合には、かぶりに対して普通紙以上の高性能が要求されている。これに対し従来は、トナーの使用環境、ライフ、使用状況から現像剤の状況を予測し、あらかじめ用意したテーブルで現像条件を変更し、かぶりの抑制を行うことがなされてきた。但し、かかる方法によるときは印字率を含む使用のされ方や休止時間によるかぶり状況の変化まで抑えることはできず、不充分な方法であった。
【０００８】
かぶりのない画像を得るための技術として、特許文献１の技術が開示されている。特許文献１では、電位センサを用いてトナー層電位を検出し、それと画像濃度からトナー帯電量を算出し、これに基づいて画像形成条件を設定することが記載されている。
【特許文献１】特開２００３−３４５０７５号公報
【発明の開示】
【発明が解決しようとする課題】
【０００９】
特許文献１に記載された方法は、実施に当たって処理系への負荷が大きいという欠点を有している。
【００１０】
本発明は、特許文献１におけるような複雑な処理系によらない簡易的な方法で、環境、現像剤のライフ、トナーの使用状況等に影響されないで、かぶりのな良好な画像形成条件が設定されるようにした画像形成装置を提供することを目的とする。
【課題を解決するための手段】
【００１１】
前記の課題を解決し、かつ目的を達成するために、本発明は以下のように構成されている。
（請求項１）
像形成体と、該像形成体を帯電手段により帯電電位Ｖｈ（Ｖ）に帯電し、露光手段により露光して前記像形成体上に静電潜像を形成する静電潜像形成手段と、前記像形成体上に形成した静電潜像を２成分現像剤を用いＤＣバイアスＶｄｃ（Ｖ）に周波数Ｆａｃ（ｋＨｚ）でピーク値Ｖａｃｐ−ｐ（Ｖ）のＡＣバイアスが重畳された現像バイアス電圧を現像剤担持体に印加して現像を行い前記像形成体上にトナー像を形成する現像手段と、前記像形成体上に形成したトナー像を形成する現像手段と、前記像形成体上に形成したトナー像を記録媒体もしくは中間転写体上に転写する転写手段と、前記像形成体上に残留した未転写のトナー像をクリーニングするクリーニング手段と、制御部と、を有する画像形成装置において、
画像調整モード時には、制御部はかぶり抑制電位差（＝｜Ｖｈ−Ｖｄｃ｜）を画像形成時より小さくとり、白地部の濃度を測定してかぶり量を検知し、検知値に応じて現像条件を設定し現像を行うことを特徴とする画像形成装置。
（請求項２）
前記検知値に応じて設定する現像条件は、かぶり抑制電位差（＝｜Ｖｈ−Ｖｄｃ｜）であることを特徴とする請求項１に記載の画像形成装置。
（請求項３）
前記検知値に応じて設定する現像条件は、交流バイアスのピーク値Ｖａｃｐ−ｐであることを特徴とする請求項１に記載の画像形成装置。
（請求項４）
前記検知値に応じて設定する現像条件は、交流バイアスの周波数Ｆａｃであることを特徴とする請求項１に記載の画像形成装置。
（請求項５）
前記２成分現像剤は、体積平均粒径が３〜６．５μｍの重合トナーと磁性キャリアとから成る２成分現像剤であることを特徴とする請求項１乃至４の何れか１項に記載の画像形成装置。
【発明の効果】
【００１２】
本発明の請求項１記載によれば、かぶりマージンを小さく、例えば０として白地部（非露光部）の画像濃度を検知することによって、かぶり量を精度良く検知し、その値に応じて現像条件を変更しているので、かぶりを効果的に抑制することとなる。また、本発明にあっては、かぶり検出用センサを余計に設けないで、画像濃度調整用センサを用いてかぶり量の検知がなされるという特長をも併せもっている。
【００１３】
本発明の請求項２記載の発明によれば、精度良く検知したかぶり量からかぶり抑制電位差を設定しているので、かぶりは効果的に抑制された画像が形成されることとなる。
【００１４】
本発明の請求項３記載の発明によれば、精度良く検知されたかぶり量から現像バイアスの交流成分のピーク値を設定しているので、かぶりは効果的に抑制された画像が形成されることとなる。
【００１５】
本発明の請求項４記載の発明によれば、精度良く検知されたかぶり量から現像バイアスの交流成分の周波数を設定しているので、かぶりは効果的に抑制された画像が形成されることとなる。
【００１６】
本発明の請求項５記載の発明によれば、従来はかぶりが発生しやすく、使用するのに困難を伴った小粒径トナーを用いても、かぶりの発生が抑制されて、画質の向上した解像度の高い画像が形成されることとなる。
【発明を実施するための最良の形態】
【００１７】
図面を用いて本発明の画像形成装置について説明する。
【００１８】
（１）  図１の断面構成図に示す画像形成装置は、本発明が適用されるモノクロ画像を形成する電子写真プロセスを利用した複写機の画像形成部を図示したものである。但し、本発明は図１に示した構成に限定されるものではなく、カラー画像形成装置にも適用される。
【００１９】
１は像形成体のドラム状した感光体であって、マイナス帯電する有機半導体層としてフタロシアニン顔料をポリカーボネイトに分散したものを接地された金属製のシリンダ状の基板上に塗布してあり、電荷輸送層を含めた感光体層の膜厚３０μｍであって、ドラム径φ８０ｍｍで矢示方向に２８０ｍｍ／ｓの周速（ｖｐ）で駆動回転される。
【００２０】
２は回転する感光体１の周囲を所定の極性・電位に一様に帯電処理するスコロトロン方式の帯電手段で、ワイヤ〜グリッド間距離７．５ｍｍ、グリッド〜感光体間距離１ｍｍ、ワイヤ〜バックプレート間距離１２ｍｍの帯電極構成をしていて、グリッド印加電圧を−６８０Ｖとし、帯電電流値−８００μＡをもってバイアス電圧を印加し、感光体１の帯電電位Ｖｈを−７００Ｖとしている。
【００２１】
３はレーザ走査方式をとった像露光手段で、レーザ波長７００ｎｍの半導体レーザ（ＬＤ）を用い、その出力パワーは３００μＷである。像露光手段３はレーザビームを出射して感光体１の一様に帯電した表面を走査露光し、静電潜像を形成する。
【００２２】
現像装置４は、感光体１に対向して回転する現像剤担持体４１により感光体１上の静電潜像をトナー像として現像する。接触或いは非接触による現像が、イメージ露光と反転現像との組み合わせで２成分現像剤を用いての現像が行われる。現像剤担持体４１はマグネットロールの周囲にステンレス溶射表面加工を施したアルミ製のスリーブを被せた構成とし、現像剤担持体４１のローラ径φ４０ｍｍ、線速（ｖｓ）５６０ｍｍ／ｓで回転し、感光体１との線速比（ｖｓ／ｖｐ）は２としている。現像剤担持体４１には直流成分の現像バイアスによって現像が行われるが、直流成分としては−６００ＶのＤＣバイアス（Ｖｄｃ）に交流成分として周波数（Ｆａｃ）５ｋＨｚ、ピーク値Ｖａｃｐ−ｐ１．２ｋＶのＡＣバイアスを重畳して印加して反転現像が行われる。
【００２３】
非磁性トナーと磁性キャリアを含有する２成分現像剤のトナーとしては、体積平均粒径が３〜６．５μｍの重合トナーが好ましい。重合トナーを用いることにより、高解像力であり、濃度が安定しかぶりの発生が極めて少ない画像形成装置が可能となる。
【００２４】
重合トナーは次のような製造方法により製造される。
【００２５】
トナー用バインダー樹脂の生成とトナー形状とがバインダー樹脂の原料モノマー又はプレポリマーの重合及びその後の化学的処理により形成されて得られる。より具体的には、懸濁重合又は乳化重合等の重合反応と必要によりその後に行われる粒子同士の融着工程を経て得られ、重合トナーでは、原料モノマー又はプレポリマーを水系で均一に分散した後に重合させトナーを製造することから、トナーの粒度分布及び形状の均一な球形トナーが得られる。
【００２６】
トナーは球形の度合いを示す形状係数ＳＦ−１が１００〜１４０、凹凸の度合いを示す形状係数ＳＦ−２が１００〜１２０の間にあることが好ましい。なお、形状係数ＳＦ−１、ＳＦ−２は下記の式で与えられる。
【００２７】
ＳＦ−１＝（Ｌｍａｘ2／Ａ）×（π／４）×１００
ＳＦ−２＝（Ｌａｒｏｕｎｄ2／Ａ）×（１／４π）×１００
Ｌｍａｘ；最大直径  Ｌａｒｏｕｎｄ；周長  Ａ；トナー投影面積
トナーは体積平均粒径が３μｍを下回ると、かぶりの発生やトナー飛散が起こりやすくなる。上限６．５μｍは本実施の形態が目標とする高画質を形成することを可能する粒径の上限である。
【００２８】
キャリアとしては、体積平均粒径が３０〜６５μｍで磁化量が２０〜７０ｅｍｕ／ｇの磁性粒子からなるフェライトコアのキャリアが好ましい。３０μｍよりも粒径の小さなキャリアではキャリア付着が生じやすくなる。また、６５μｍよりも粒径の大きなキャリアでは、均一な濃度の画像が形成されない場合が生じうる。
【００２９】
５はトナー像の転写性を高めるために照射する転写前露光光源で、光波長７００ｎｍのＬＥＤで、光出力１０ｌｕｘをもって照射する。
【００３０】
６はコロトロンの転写極で、ワイヤ〜感光体１間距離８ｍｍ、ワイヤ〜バックプレート間距離１２ｍｍの構成となっていて、転写電流（Ｉｔｒ）２００μＡの定電流制御によって感光体１上のトナー像の転写紙上への転写を行う。
【００３１】
７はコロトロンの分離極で、ワイヤ〜感光体１間距離８ｍｍ、ワイヤ〜バックプレート間距離１２ｍｍの構成となていて、ＡＣ成分１００μＡ、ＤＣ成分−２００μＡの分離電流によって転写紙の感光体１からの分離を促す。
【００３２】
給紙部より給紙された転写紙Ｐは、レジストローラ２１によって感光体１上に形成されたトナー像と同期して給紙がなされ、転写ニップ部において転写極６によってトナー像の転写を受ける。転写ニップ部を通過した転写紙Ｐは、感光体１の面から分離極７によって分離され、搬送ベルト２２によって定着装置２３へ搬送される。
【００３３】
定着装置２３は内部にヒータを配置した加熱ローラ２３ａと加圧ローラ２３ｂとより成り、トナー像を保持した転写紙Ｐは加熱ローラ２３ａと加圧ローラ２３ｂとの間で加熱・加圧がなされて定着し、トナー像が定着された転写紙Ｐは排紙ローラ２４によって機外の排紙トレイ上に排出される。
【００３４】
一方、転写紙Ｐへのトナー像の転写後の感光体１の表面はクリーニング装置８により転写残トナーの清掃が行われる。本実施例においてはクリーニング手段としてウレタンゴム製のブレードが用いられ、クリーニングブレードはカウンタタイプに感光体１周面に摺接して清掃を行っている。クリーニング装置８を通過いて表面が清掃された感光体１周面は、光波長７００ｎｍ、光出力１０ｌｕｘ光源を用いた帯電前露光（ＰＣＬ）手段９によって照射がなされ、残留電位を低下して次の画像形成サイクルへと移行する。
【００３５】
クリーニング装置８によって回収されたトナーは搬送スクリュ等を用いてトナー搬送するトナーリサイクル手段８１によって現像装置４に回収される。現像装置４への回収動作は感光体１の回転動作と同時に併行して行われる。
【００３６】
現像装置４には、内蔵する現像剤中のトナー比率を検知するトナー濃度検知センサＴＴｃが設けられていて、現像によってトナーが消費され、トナー濃度Ｔｃが所定の濃度値Ｔｃ０以下に低下したときは、制御部はトナー供給口４３を開口して新トナーを貯蔵したトナー貯蔵部４２からトナー補給を行っている。なお、本実施例においては、所定の濃度値Ｔｃ０は環境湿度及びプリント数によって可変として、機内に設けた湿度計によって検知した湿度と、カウンタによって計測したプリント数から図２に示す図表を用いて濃度値Ｔｃ０の決定を行い、決定した濃度値Ｔｃ０を用い、濃度検知センサＴＴｃの検知した濃度値がＴｃ０を下廻ったときはトナー補給を行って現像装置４内でのトナー濃度調整を行っている。
【００３７】
また現像装置４とクリーニング装置８との間には感光体１上の反射濃度を検出して感光体１上のパッチ画像のトナー付着量の計測を行う画像濃度センサＴＳが設けられている。パッチ画像としては非ソリッドテストパターンが用いられ、非ソリッドテストパターンの顕画像は印字率で３０〜７０％の間にあるか、もしくはプリント出力時の反射濃度が０．４〜０．９の範囲内にある中間調濃度の、画像濃度センサＴＳの感度が低下する領域を避けた非ソリッドテストパターンが用いられる。
【００３８】
同一の画像濃度であっても、トナー付着量はトナー特性によって相違し、小粒径トナーを用いたときは大粒径トナーを用いたときに比較して小量のトナー付着量でも同じ画像濃度として検知されるので、本発明の画像形成装置では、使用する現像剤を用いて予めテストを行い、画像濃度センサＴＳによるセンサ読み取り値とトナー付着量との関係を示すテーブルをメモリとして記憶していて、テーブルを用いて、トナー付着量を検出し、検出値に基づいて画像濃度調整を行っている。
【００３９】
（２）  本発明の画像形成装置では、画像調整モード時には、かぶり抑制電位差（＝｜Ｖｈ−Ｖｄｃ｜）を画像形成時より小さく、本実施例ではＶｈ−Ｖｄｃ＝０として、帯電及び現像を行い、感光体１上の白地部（非露光部）のトナー濃度（かぶり量）を画像濃度センサＴＳによって検知し、検知値に応じて下記の（ａ）（ｂ）（ｃ）で示す現像条件を決定し、画像形成時には決定した画像条件で現像を行い、画像形成を行う。
【００４０】
図３には、本発明の電気制御系の概要を示している。１１０は演算制御処理を行うＣＰＵで、ＲＡＭ１１１、ＲＯＭ（１）１１２、ＲＯＭ（２）１１３が接続されている。ＲＯＭ（１）１１２には、演算基礎データをはじめ、画像形成プログラム、本発明の画像調整プログラムを記憶し、ＲＯＭ（２）１１３には（ａ）かぶり−（Ｖｈ−Ｖｄｃ）テーブル、（ｂ）かぶり−Ｖａｃｐ−ｐテーブル、（ｃ）かぶり−Ｆａｃテーブルの何れかのテーブルを記憶していて、ＣＰＵ１１０はインターフェース１２０を介して外部機器に接続されている。
【００４１】
インターフェース１２０の入力側には、画像濃度センサＴＳが接続されていて、発光素子と受光素子とよりなり、感光体１上でのトナー付着量の計測を行う。本発明においては、画像濃度センサＴＳは、パッチ画像のトナー付着量の計測の外に、白地部でのトナー付着量、即ちかぶりの計測を行っている。
【００４２】
インターフェース１２０の出力側には、感光体１、帯電手段２、像露光手段３、現像装置４等が接続されていて、帯電手段２については、バイアス電圧を印加して感光体１を帯電電位Ｖｈに帯電する帯電バイアス電源が接続されている。また、現像装置４については、現像バイアスとして電圧Ｖｄｃに印加するＤＣバイアス電源と、周波数Ｆａｃ、ピーク値Ｖａｃｐ−ｐに印加するＡＣバイアス電源とが接続されている。
【００４３】
画像形成モード時には、ＣＰＵ１１０はＲＯＭ（１）１１２から画像形成プログラムを呼び出し、このプログラムに従って、帯電、像露光、現像を行い、感光体１上に形成されたトナー像を転写紙上に転写し、トナー像を保持した転写紙の定着を行ったのち、機外に排出するよう制御することが行われる。
【００４４】
電源がＯＮされた時点等で行われる画像調整モード時には、ＣＰＵ１１０はＲＯＭ（１）１１２から画像調整プログラムを呼び出し、画像調整を行う。
【００４５】
まず、かぶり抑制電位差（＝｜Ｖｈ−Ｖｄｃ｜）の絶対値を小さく、本実施例ではＶｈ−Ｖｄｃ＝０として感光体１上への帯電を行う。図１によって説明した画像形成装置では、感光体１の帯電電位Ｖｈ＝−７００Ｖ、ＤＣバイアスＶｄｃ＝−６００Ｖであるので、ＣＰＵ１１０は帯電手段２の帯電バイアス電源を制御して、感光体１の帯電電位Ｖｈを−６００Ｖとなるよう回転する感光体１上にコロナ帯電を行う。
【００４６】
回転する感光体１に対して帯電が行われ、露光手段２によって露光が行われない潜像を有さない状態で現像装置４に到達する。現像装置４においては、Ｖｄｃ＝−６００ＶのＤＣバイアスにＦａｃ＝５ｋＨｚ、Ｖａｃｐ−ｐ＝１．２ｋＶのＡＣバイアスが重畳された現像バイアスによって現像が行われ、白地部（非露光部）には一面に微量のトナーが付着したかぶりが生じる。
【００４７】
本発明においては、画像調整モードで、画像形成モード時に較べてかぶり抑制電位差を小さく設定しているので、現像によって生じるかぶりの状態は増幅されていて、画像濃度センサＴＳによっても、かぶりの状態が精度良く判別可能となっている。図４には、白地部トナー付着量と画像濃度センサＴＳによるセンサ出力との関係を示していて、白地部トナー付着量（かぶり量）とセンサ出力とがほぼ比例関係に保たれていることを示している。
【００４８】
本発明においては、ＣＰＵ１１０はＲＯＭ（２）１１３に記録されたかぶりと現像条件との関係を示すテーブル（ａ）、（ｂ）、（ｃ）の何れかを呼び出して、画像濃度センサＴＳによってかぶり量を検知したセンサ出力に応じて現像条件を設定し、設定した現像条件のもとでその後の画像形成が行われる。
【００４９】
（ａ）  本実施形態においては、画像濃度センサＴＳによって検知されたセンサ出力（かぶり量）に対して、予め実験によって求めたかぶりのない良好な画像が得られるかぶり抑制電位差を求め、これをテーブルとしたかぶり−（Ｖｈ−Ｖｄｃ）テーブルをＲＯＭ（２）１１３に記憶している。図５には、このテーブルのかぶり量とかぶり抑制電位差との関係をグラフとして表示している。
【００５０】
ＣＰＵ１１０はＲＯＭ（２）１１３に記憶されたかぶり−（Ｖｈ−Ｖｄｃ）テーブルを呼び出し、画像濃度センサＴＳによって検知されたセンサ出力を当該テーブルに適用することによって、適当とするかぶり抑制電位差を求め、この条件を画像形成時のかぶり抑制電位差として設定する。
【００５１】
画像調整モードで求めたかぶり抑制電位差に設定することによって、画像形成時にはかぶりのない良好な画像が得られることとなる。
【００５２】
なお、本実施例においては、センサ出力が４Ｖであったので、自動的にＶｈ＝−８００Ｖに設定し、｜Ｖｈ−Ｖｄｃ｜＝２００Ｖとすることによって、その後の画像形成時にはかぶりのない良好な画像が得られている。
【００５３】
（ｂ）  本実施形態においては、画像濃度センサＴＳによって検知されたセンサ出力（かぶり量）に対して、予め実験によって求めたかぶりのない良好な画像が得られるＡＣバイアスのピーク値Ｖａｃｐ−ｐを求め、これをテーブルとしたかぶり−（Ｖａｃｐ−ｐ）テーブルをＲＯＭ（２）１１３に記憶している。図６には、このテーブルのかぶり量とＶａｃｐ−ｐとの関係をグラフとして表示している。
【００５４】
ＣＰＵ１１０はＲＯＭ（２）１１３に記憶されたかぶり−（Ｖａｃｐ−ｐ）テーブルを呼び出し、画像濃度センサＴＳによって検知されたセンサ出力を当該テーブルに適用することによって、適当とするＶａｃｐ−ｐを求め、この条件を画像形成時のＶａｃｐ−ｐとして設定する。
【００５５】
画像調整モードで求めたＶａｃｐ−ｐに設定することによって、画像形成時にはかぶりのない良好な画像が得られることとなる。
【００５６】
なお、本実施例においては、センサ出力が４Ｖであったので、自動的にＶａｃｐ−ｐ＝１．０ｋＶとすることによって、その後の画像形成時にはかぶりのない良好な画像が得られている。
【００５７】
（ｃ）  本実施形態においては、画像濃度センサＴＳによって検知されたセンサ出力（かぶり量）に対して、予め実験によって求めたかぶりのない良好な画像が得られるＡＣバイアスの周波数Ｆａｃを求め、これをテーブルとしたかぶり−（Ｆａｃ）テーブルをＲＯＭ（２）１１３に記憶している。図７には、このテーブルのかぶり量とＦａｃとの関係をグラフとして表示している。
【００５８】
ＣＰＵ１１０はＲＯＭ（２）１１３に記憶されたかぶり−（Ｆａｃ）テーブルを呼び出し、画像濃度センサＴＳによって検知されたセンサ出力を当該テーブルに適用することによって、適当とするＦａｃを求め、この条件を画像形成時のＦａｃとして設定する。
【００５９】
画像調整モードで求めたＦａｃに設定することによって、画像形成時にはかぶりのない良好な画像が得られることとなる。
【００６０】
なお、本実施例においては、センサ出力が４Ｖであったので、自動的にＦａｃ＝６ｋＨｚとすることによって、その後の画像形成時にはかぶりのない良好な画像が得られている。
【図面の簡単な説明】
【００６１】
【図１】画像形成装置の断面構成図。
【図２】プリント数とトナー濃度と環境湿度との関係を示すグラフ。
【図３】電気制御系の概要を示すブロック図。
【図４】白地部トナー付着量とセンサ出力の関係を示すグラフ。
【図５】かぶり量とかぶり抑制電位差との関係を示すグラフ。
【図６】かぶり量とＡＣバイアスピーク値との関係を示すグラフ。
【図７】かぶり量とＡＣバイアス周波数との関係を示すグラフ。
【符号の説明】
【００６２】
１  感光体
２  帯電手段
３  像露光手段
４  現像装置
ＴＳ  画像濃度センサ
【図１】
2006259101.tif 000003
【図２】
2006259101.tif 000004
【図３】
2006259101.tif 000005
【図４】
2006259101.tif 000006
【図５】
2006259101.tif 000007
【図６】
2006259101.tif 000008
【図７】
2006259101.tif 000009